(57)【特許請求の範囲】
【請求項１】
インターネットサービス用ＩＰネットワークと電話サービス用電話網がＩＰ通信網として統合された次世代ネットワークに接続するための第１通信インタフェース手段と、
イントラネットに接続するための第２通信インタフェース手段と、
ユーザにより指定されたファクシミリ送信先を受け付ける受付手段と、
受け付けられたファクシミリ送信先の記述形式及び前記イントラネットにおける通信経路から、当該ファクシミリ送信先へ発呼する経路として、前記第１通信インタフェース手段又は前記第２通信インタフェース手段を自動的に選択するよう制御する制御手段と、
を有し、
前記制御手段は、前記イントラネットにおける通信経路が、ファクシミリ送信先として指定されたファクシミリ装置のファクシミリ番号をＩＰアドレスに変換する機能を有するサーバを介する場合において、受け付けられたファクシミリ送信先として外線形式のファクシミリ番号が指定された場合、指定されたファクシミリ装置の前記イントラネット側の存在を前記サーバに問合せをしたことで当該ファクシミリ送信先として指定されたファクシミリ装置が前記イントラネット側に存在しないことを認識すると、当該ファクシミリ送信先へ発呼する経路として前記第１通信インタフェース手段を選択することを特徴とするファクシミリ装置。
【請求項２】
インターネットサービス用ＩＰネットワークと電話サービス用電話網がＩＰ通信網として統合された次世代ネットワークに接続するための第１通信インタフェース手段と、
イントラネットに接続するための第２通信インタフェース手段と、
ユーザにより指定されたファクシミリ送信先を受け付ける受付手段と、
受け付けられたファクシミリ送信先の記述形式及び前記イントラネットにおける通信経路から、当該ファクシミリ送信先へ発呼する経路として、前記第１通信インタフェース手段又は前記第２通信インタフェース手段を自動的に選択するよう制御する制御手段と、
を有し、
前記制御手段は、前記イントラネットにおける通信経路がピアツーピアの場合において、受け付けられたファクシミリ送信先としてＩＰアドレスを含まないメールアドレスが指定された場合、当該ファクシミリ送信先へ発呼する経路として前記第１通信インタフェース手段を選択することを特徴とするファクシミリ装置。
【請求項３】
請求項１又は２に記載のファクシミリ装置と、
ファクシミリ通信機能を実現する手段と、
を有することを特徴とする画像形成装置。
【請求項４】
インターネットサービス用ＩＰネットワークと電話サービス用電話網がＩＰ通信網として統合された次世代ネットワークに接続するための第１通信インタフェース手段と、イントラネットに接続するための第２通信インタフェース手段と、を有するファクシミリ装置に搭載されたコンピュータを、
ユーザにより指定されたファクシミリ送信先を受け付ける受付手段、
受け付けられたファクシミリ送信先の記述形式及び前記イントラネットにおける通信経路から、当該ファクシミリ送信先へ発呼する経路として、前記第１通信インタフェース手段又は前記第２通信インタフェース手段を自動的に選択するよう制御する制御手段、
として機能させ、
前記制御手段は、前記イントラネットにおける通信経路が、ファクシミリ送信先として指定されたファクシミリ装置のファクシミリ番号をＩＰアドレスに変換する機能を有するサーバを介する場合において、受け付けられたファクシミリ送信先として外線形式のファクシミリ番号が指定された場合、指定されたファクシミリ装置の前記イントラネット側の存在を前記サーバに問合せをしたことで当該ファクシミリ送信先として指定されたファクシミリ装置が前記イントラネット側に存在しないことを認識すると、当該ファクシミリ送信先へ発呼する経路として前記第１通信インタフェース手段を選択することを特徴とするプログラム。
【請求項５】
インターネットサービス用ＩＰネットワークと電話サービス用電話網がＩＰ通信網として統合された次世代ネットワークに接続するための第１通信インタフェース手段と、イントラネットに接続するための第２通信インタフェース手段と、を有するファクシミリ装置に搭載されたコンピュータを、
ユーザにより指定されたファクシミリ送信先を受け付ける受付手段、
受け付けられたファクシミリ送信先の記述形式及び前記イントラネットにおける通信経路から、当該ファクシミリ送信先へ発呼する経路として、前記第１通信インタフェース手段又は前記第２通信インタフェース手段を自動的に選択するよう制御する制御手段、
として機能させ、
前記制御手段は、前記イントラネットにおける通信経路がピアツーピアの場合において、受け付けられたファクシミリ送信先としてＩＰアドレスを含まないメールアドレスが指定された場合、当該ファクシミリ送信先へ発呼する経路として前記第１通信インタフェース手段を選択することを特徴とするプログラム。
【発明の詳細な説明】
【技術分野】
【０００１】
本発明は、ファクシミリ装置、画像形成装置及びプログラムに関する。
【背景技術】
【０００２】
近年、画像形成装置の一形態である複合機に複数の通信インタフェースを搭載することで、インターネットを介した外部にあるファクシミリ装置（ＦＡＸ）、あるいはイントラネットに接続されたＦＡＸの双方にファクシミリ送信できるようになっている。
【０００３】
例えば、特許文献１では、ＦＡＸ送信者がメールサーバを経由してＦＡＸ送信するか、あるいはＰ２ＰでＦＡＸ送信するか、すなわちどちらの通信経路を選択してファクシミリ送信する技術が提案されている。
【先行技術文献】
【特許文献】
【０００４】
【特許文献１】特開２００３−２３３５５８号公報
【特許文献２】特開２０１２−１５１６２４号公報
【特許文献３】特開２０１１−２４４２５９号公報
【発明の概要】
【発明が解決しようとする課題】
【０００５】
本発明は、インターネットサービス用ＩＰネットワークと電話サービス用電話網がＩＰ通信網として統合された次世代ネットワークに対応したインターネットに接続するための第１通信インタフェース手段と、イントラネットに接続するための第２通信インタフェース手段と、が搭載されている場合において、ファクシミリ送信者により指定されたファクシミリ送信先へファクシミリ送信する際に使用する通信インタフェース手段を自動的に選択することを目的とする。
【課題を解決するための手段】
【０００６】
本発明に係るファクシミリ装置は、インターネットサービス用ＩＰネットワークと電話サービス用電話網がＩＰ通信網として統合された次世代ネットワークに接続するための第１通信インタフェース手段と、イントラネットに接続するための第２通信インタフェース手段と、ユーザにより指定されたファクシミリ送信先を受け付ける受付手段と、受け付けられたファクシミリ送信先の記述形式及び前記イントラネットにおける通信経路から、当該ファクシミリ送信先へ発呼する経路として、前記第１通信インタフェース手段又は前記第２通信インタフェース手段を自動的に選択するよう制御する制御手段と、を有し、前記制御手段は、前記イントラネットにおける通信経路が、ファクシミリ送信先として指定されたファクシミリ装置のファクシミリ番号をＩＰアドレスに変換する機能を有するサーバを介する場合において、受け付けられたファクシミリ送信先として外線形式のファクシミリ番号が指定された場合、指定されたファクシミリ装置の前記イントラネット側の存在を前記サーバに問合せをしたことで当該ファクシミリ送信先として指定されたファクシミリ装置が前記イントラネット側に存在しないことを認識すると、当該ファクシミリ送信先へ発呼する経路として前記第１通信インタフェース手段を選択することを特徴とする。
【００１２】
本発明に係るファクシミリ装置は、インターネットサービス用ＩＰネットワークと電話サービス用電話網がＩＰ通信網として統合された次世代ネットワークに接続するための第１通信インタフェース手段と、イントラネットに接続するための第２通信インタフェース手段と、ユーザにより指定されたファクシミリ送信先を受け付ける受付手段と、受け付けられたファクシミリ送信先の記述形式及び前記イントラネットにおける通信経路から、当該ファクシミリ送信先へ発呼する経路として、前記第１通信インタフェース手段又は前記第２通信インタフェース手段を自動的に選択するよう制御する制御手段と、を有し、前記制御手段は、前記イントラネットにおける通信経路がピアツーピアの場合において、受け付けられたファクシミリ送信先としてＩＰアドレスを含まないメールアドレスが指定された場合、当該ファクシミリ送信先へ発呼する経路として前記第１通信インタフェース手段を選択することを特徴とする。
【００１４】
本発明に係る画像形成装置は、上記記載のファクシミリ装置と、ファクシミリ通信機能を実現する手段と、を有することを特徴とする。
【００１５】
本発明に係るプログラムは、インターネットサービス用ＩＰネットワークと電話サービス用電話網がＩＰ通信網として統合された次世代ネットワークに接続するための第１通信インタフェース手段と、イントラネットに接続するための第２通信インタフェース手段と、を有するファクシミリ装置に搭載されたコンピュータを、ユーザにより指定されたファクシミリ送信先を受け付ける受付手段、受け付けられたファクシミリ送信先の記述形式及び前記イントラネットにおける通信経路から、当該ファクシミリ送信先へ発呼する経路として、前記第１通信インタフェース手段又は前記第２通信インタフェース手段を自動的に選択するよう制御する制御手段、として機能させ、前記制御手段は、前記イントラネットにおける通信経路が、ファクシミリ送信先として指定されたファクシミリ装置のファクシミリ番号をＩＰアドレスに変換する機能を有するサーバを介する場合において、受け付けられたファクシミリ送信先として外線形式のファクシミリ番号が指定された場合、指定されたファクシミリ装置の前記イントラネット側の存在を前記サーバに問合せをしたことで当該ファクシミリ送信先として指定されたファクシミリ装置が前記イントラネット側に存在しないことを認識すると、当該ファクシミリ送信先へ発呼する経路として前記第１通信インタフェース手段を選択することを特徴とする。
本発明に係るプログラムは、インターネットサービス用ＩＰネットワークと電話サービス用電話網がＩＰ通信網として統合された次世代ネットワークに接続するための第１通信インタフェース手段と、イントラネットに接続するための第２通信インタフェース手段と、を有するファクシミリ装置に搭載されたコンピュータを、ユーザにより指定されたファクシミリ送信先を受け付ける受付手段、受け付けられたファクシミリ送信先の記述形式及び前記イントラネットにおける通信経路から、当該ファクシミリ送信先へ発呼する経路として、前記第１通信インタフェース手段又は前記第２通信インタフェース手段を自動的に選択するよう制御する制御手段、として機能させ、前記制御手段は、前記イントラネットにおける通信経路がピアツーピアの場合において、受け付けられたファクシミリ送信先としてＩＰアドレスを含まないメールアドレスが指定された場合、当該ファクシミリ送信先へ発呼する経路として前記第１通信インタフェース手段を選択することを特徴とする。
【発明の効果】
【００１６】
請求項１に記載の発明によれば、インターネットサービス用ＩＰネットワークと電話サービス用電話網がＩＰ通信網として統合された次世代ネットワークに接続するための第１通信インタフェース手段と、イントラネットに接続するための第２通信インタフェース手段と、が搭載されている場合において、ファクシミリ送信者により指定されたファクシミリ送信先へファクシミリ送信する際に使用する通信インタフェース手段をファクシミリ送信者に選択させることなく自動的に選択することができる。また、ファクシミリ送信先として指定されたファクシミリ装置がイントラネット側に存在しない場合、当該ファクシミリ送信先へ発呼する経路として第１通信インタフェース手段を自動的に選択することができる。
【００２２】
請求項２に記載の発明によれば、インターネットサービス用ＩＰネットワークと電話サービス用電話網がＩＰ通信網として統合された次世代ネットワークに接続するための第１通信インタフェース手段と、イントラネットに接続するための第２通信インタフェース手段と、が搭載されている場合において、ファクシミリ送信者により指定されたファクシミリ送信先へファクシミリ送信する際に使用する通信インタフェース手段をファクシミリ送信者に選択させることなく自動的に選択することができる。また、ファクシミリ送信先としてＩＰアドレスを含まないメールアドレスが指定された場合、当該ファクシミリ送信先へ発呼する経路として第１通信インタフェース手段を自動的に選択することができる。
【００２４】
請求項３に記載の発明によれば、インターネットサービス用ＩＰネットワークと電話サービス用電話網がＩＰ通信網として統合された次世代ネットワークに接続するための第１通信インタフェース手段と、イントラネットに接続するための第２通信インタフェース手段と、が搭載されている場合において、ファクシミリ送信者により指定されたファクシミリ送信先へファクシミリ送信する際に使用する通信インタフェース手段をファクシミリ送信者に選択させることなく自動的に選択することができる。また、ファクシミリ送信先として指定されたファクシミリ装置がイントラネット側に存在しない場合、当該ファクシミリ送信先へ発呼する経路として第１通信インタフェース手段を自動的に選択することができる。あるいは、ファクシミリ送信先としてＩＰアドレスを含まないメールアドレスが指定された場合、当該ファクシミリ送信先へ発呼する経路として第１通信インタフェース手段を自動的に選択することができる。
【００２５】
請求項４に記載の発明によれば、インターネットサービス用ＩＰネットワークと電話サービス用電話網がＩＰ通信網として統合された次世代ネットワークに接続するための第１通信インタフェース手段と、イントラネットに接続するための第２通信インタフェース手段と、がファクシミリ装置に搭載されている場合において、ファクシミリ送信者により指定されたファクシミリ送信先へファクシミリ送信する際に使用する通信インタフェース手段をファクシミリ送信者に選択させることなく自動的に選択することができる。また、ファクシミリ送信先として指定されたファクシミリ装置がイントラネット側に存在しない場合、当該ファクシミリ送信先へ発呼する経路として第１通信インタフェース手段を自動的に選択することができる。
請求項５に記載の発明によれば、インターネットサービス用ＩＰネットワークと電話サービス用電話網がＩＰ通信網として統合された次世代ネットワークに接続するための第１通信インタフェース手段と、イントラネットに接続するための第２通信インタフェース手段と、が搭載されている場合において、ファクシミリ送信者により指定されたファクシミリ送信先へファクシミリ送信する際に使用する通信インタフェース手段をファクシミリ送信者に選択させることなく自動的に選択することができる。また、ファクシミリ送信先としてＩＰアドレスを含まないメールアドレスが指定された場合、当該ファクシミリ送信先へ発呼する経路として第１通信インタフェース手段を自動的に選択することができる。
【図面の簡単な説明】
【００２６】
【図１】本発明に係るファクシミリ装置に相当する複合機の一実施の形態のハードウェア構成及びシステムの全体構成を示した図である。
【図２】実施の形態１における複合機のブロック構成図である。
【図３】実施の形態１におけるＦＡＸ送信処理を示したフローチャートである。
【図４】実施の形態２においてファクシミリ装置を含むシステムの全体構成図である。
【図５】実施の形態２におけるＦＡＸ送信処理を示したフローチャートである。
【図６】実施の形態３においてファクシミリ装置を含むシステムの全体構成図である。
【図７】実施の形態３におけるＦＡＸ送信処理を示したフローチャートである。
【図８】実施の形態４におけるインターネットファクス送信処理を示したフローチャートである。
【発明を実施するための形態】
【００２７】
以下、図面に基づいて、本発明の好適な実施の形態について説明する。
【００２８】
実施の形態１．
本実施の形態においては、ファクシミリに関連する用語を次のように定義する。
【００２９】
「ファクシミリ（ファクス（ＦＡＸ））」とは、通信回線を介して画像情報を電送する機器（ＦＡＸ装置）、又は仕組みのことをいう。
【００３０】
「ＩＰネットワーク」とは、ＩＰ（インターネットプロトコル）というプロトコルで接続された多数の機器で構成されるネットワークのことをいう。
【００３１】
「ＩＰファクス機能」とは、ＩＰネットワーク上でデータを送受信する機能のことをいう。
【００３２】
「ＩＰファクス対応機」とは、ＩＰファクス機能を有する機器のことをいい、当該機能を有するＦＡＸ装置や複合機等で実現される。
【００３３】
「ＩＰファクス発呼」とは、ＩＰファクス対応機に対してファクシミリ送信を行う処理のことをいう。
【００３４】
「ＩＰファクス」とは、ＩＰファクス機能を有するＦＡＸ装置（ＩＰファクス対応機）のことをいう。ＩＰファクスに対しては、通常、ＦＡＸ番号を指定してＩＰファクス発呼される。ＩＰファクスは、接続環境又は通信モードによって以下のように分類する。
【００３５】
「ＩＰファクス（イントラネット）」とは、イントラネット環境に接続されたＩＰファクス対応機のことをいう。ＩＰファクス（イントラネット）に対しては、ＩＰアドレスを指定してＰ２Ｐ（ピアツーピア）でＩＰファクス発呼される。ここで、「Ｐ２Ｐ」とは、ネットワーク上で対等な関係にある端末（本実施の形態では、ＦＡＸ装置）間を相互に直接接続し、データを送受信する通信方式、またそのような方式を用いて通信するソフトウェアやシステムの総称のことをいう。
【００３６】
「ＩＰファクス（ＮＧＮ）」とは、ＮＧＮ（Ｎｅｘｔ  Ｇｅｎｅｒａｔｉｏｎ  Ｎｅｔｗｏｒｋ）に接続されたＩＰファクス対応機のことをいう。ＩＰファクス（ＮＧＮ）に対しては、ＦＡＸ番号を指定してＩＰファクス発呼される。ここで、「ＮＧＮ」とは、インターネットサービスによるデータ通信に電話サービスによる電話通信が統合された次世代ネットワーク、より詳細には、現在別々に構築されているインターネットサービス用ＩＰネットワークと電話サービス用の電話網を、ＩＰ技術を用いてＱｏＳ（Ｑｕａｌｉｔｙ  ｏｆ  Ｓｅｒｖｉｃｅ）やセキュリティを向上させたＩＰ通信網として統合し、現行の公衆網を代替する次世代ＩＰネットワークのことをいう。
【００３７】
「ＩＰファクス（ゲートウェイ）」とは、中継装置としてゲートウェイ（ＧＷ）が接続されたイントラネット環境に接続されたＩＰファクス対応機のことをいう。ＩＰファクス（ゲートウェイ）に対しては、通常、ＦＡＸ番号を指定してＩＰファクス発呼される。
【００３８】
「インターネットファクス」とは、インターネット回線を利用して電子メールの送受信の仕組みを使用してＦＡＸ通信を行うＦＡＸ装置、又はその仕組みのことをいう。インターネットファクスに対しては、メールアドレスが指定されて送信される。
【００３９】
「インターネットファクス（ダイレクトＳＭＴＰ）」とは、イントラネット環境に接続されたインターネットファクス（ダイレクトＳＭＴＰ）対応機のことをいう。インターネットファクス（ダイレクトＳＭＴＰ）に対しては、ＩＰアドレスを指定してＰ２Ｐ（ピアツーピア）で送信される。
【００４０】
「Ｇ３ファクス」とは、Ｇ３規格に準拠し、アナログ電話回線に対応したＦＡＸ装置、又はその仕組みのことをいう。Ｇ３ファクスには、ＦＡＸ番号が指定されて発呼される。
【００４１】
図１は、本実施の形態における複合機１０のハードウェア構成図である。複合機１０は、ファクシミリ（ＦＡＸ）通信機能をはじめ、コピー機能、スキャナ機能、等各種機能を搭載した画像形成装置の一形態であり、コンピュータを内蔵した装置である。本実施の形態における複合機１０は、ファクシミリ通信機能を有していることから本発明に係るファクシミリ装置に相当する。図１において、ＣＰＵ１１は、ＲＯＭ１６に格納されたプログラムにしたがってスキャナ１３やプリンタエンジン１５等本装置に搭載された各種機構の動作制御を行う。アドレスデータバス２０は、ＣＰＵ１１の制御対象となる各種機構と接続してデータの通信を行う。操作パネル１２は、ユーザからの指示の受け付け、情報の表示を行う。スキャナ１３は、ユーザがセットした原稿を読み取り、電子データとしてＨＤＤ（Ｈａｒｄ  Ｄｉｓｋ  Ｄｒｉｖｅ）１４等に蓄積する。ＨＤＤ１４は、スキャナ１３を使用して読み取った電子文書などを格納する。プリンタエンジン１５は、ＣＰＵ１１で実行される制御プログラムからの指示に従い出力用紙上に画像を印字する。ＲＡＭ１７は、プログラム実行時のワークメモリや電子データ送受信時の通信バッファとして利用される。ＲＯＭ１６は、本装置の制御や電子データの暗号、電子データの送受信に関する各種プログラムが格納されている。各種プログラムが実行されることで後述する各構成要素が所定の処理機能を発揮する。
【００４２】
本実施の形態における複合機１０は、少なくとも２つのネットワークインタフェース（ＩＦ）１８，１９を有している。ネットワークインタフェース１８は、インターネット、本実施の形態においては特にＮＧＮ２１に接続するための第１通信インタフェース手段であり、ＮＧＮ２１に接続されたＦＡＸへＦＡＸ送信する。ネットワークインタフェース１９は、イントラネット２３に接続するための第２通信インタフェース手段であり、イントラネット２３に接続されたＦＡＸ装置２４へＦＡＸ送信する。なお、本実施の形態では、説明の便宜上、接続先を明確にするために２つのネットワークインタフェース１８，１９を搭載するように構成したが、ＮＧＮ２１及びイントラネット２３を接続するための少なくとも２つ以上の通信ポートを持つ１つのネットワークインタフェースにて構成してもよい。
【００４３】
図２は、本実施の形態における複合機１０のブロック構成図である。なお、図２には、本実施の形態の説明に用いない構成要素については省略している。本実施の形態における複合機１０は、操作受付部３１、ファクス制御部３２、通信制御部３３及び画像情報記憶部３４を有している。操作受付部３１は、操作パネル１２に対するユーザ操作を受け付ける。特に、本実施の形態における操作受付部３１は、ユーザにより指定されたファクシミリ送信先を受け付ける受付手段として設けられている。ファクス制御部３２は、本実施の形態におけるＦＡＸ送信処理の実行制御を行う。特に、本実施の形態におけるファクス制御部３２は、制御手段として設けられ、受け付けられたファクシミリ送信先の記述形式及びイントラネット２３における通信経路から、ファクシミリ送信先へ発呼する経路として、ネットワークインタフェース１８又はネットワークインタフェース１９を自動的に選択するよう制御する。通信制御部３３は、各ネットワークインタフェース１８，１９を介したネットワーク通信制御を行う。例えば、ＳＩＰ（Ｓｅｓｓｉｏｎ  Ｉｎｉｔｉａｔｉｏｎ  Ｐｒｏｔｏｃｏｌ）を利用したＩＰファクスの呼接続を制御するプロトコル制御、インターネットのトランスポート／ネットワーク層のプロトコル制御等を行う。画像情報記憶部３４には、ＦＡＸ送信対象となる画像情報が記憶される記憶手段である。
【００４４】
複合機１０における各構成要素３１〜３３は、複合機１０に内蔵されたコンピュータと、コンピュータに搭載されたＣＰＵ１１で動作するプログラムとの協調動作により実現される。また、画像情報記憶部３４は、複合機１０に搭載されたＨＤＤ１４にて実現される。あるいは、ＲＡＭ１７又は外部にある記憶手段をネットワーク経由で利用してもよい。
【００４５】
また、本実施の形態で用いるプログラムは、通信手段により提供することはもちろん、ＣＤ−ＲＯＭやＵＳＢメモリ等のコンピュータ読み取り可能な記録媒体に格納して提供することも可能である。通信手段や記録媒体から提供されたプログラムはコンピュータにインストールされ、コンピュータのＣＰＵ１１がプログラムを順次実行することで各種処理が実現される。
【００４６】
次に、本実施の形態におけるＦＡＸ送信処理について図３に示したフローチャートを用いて説明する。ファクス制御部３２は、複合機１０に事前に設定されている情報等から各ネットワークインタフェース１８，１９の接続先がそれぞれＮＧＮ２１、イントラネット２３に接続されており、また、イントラネット２３における通信経路がＰ２Ｐであることを事前に認識しているものとする。なお、ＦＡＸ送信対象の画像情報は、画像情報記憶部３４に格納されているものとする。
【００４７】
ＦＡＸ送信者は、操作パネル１２を操作してＦＡＸ送信対象の画像情報及びＦＡＸ送信先を指定し、当該画像情報のＦＡＸ送信を複合機１０に指示する。操作受付部３１がＦＡＸ送信者により指定されたＦＡＸ送信先を受け付けると（ステップ１０１）、ファクス制御部３２は、受け付けられたＦＡＸ送信先の記述形式を解析する。そして、１２３４＠２９３．１６８．２．２０などのようにＦＡＸ送信先にＩＰアドレスが含まれている場合（ステップ１０２でＹ）、ファクス制御部３２は、ＦＡＸ送信先へ発呼する経路としてネットワークインタフェース１９を自動的に選択することで、ネットワークインタフェース１９を介してイントラネット２３へＩＰファクス発呼を行う。つまり、イントラネット２３へＩＰアドレスを指定してＦＡＸ送信を行う（ステップ１０３）。
【００４８】
一方、ＦＡＸ送信先にＩＰアドレスが含まれていない場合（ステップ１０２でＮ）、具体的には外線形式のＦＡＸ番号が指定されていると、ファクス制御部３２は、ＦＡＸ送信先へ発呼する経路としてネットワークインタフェース１８を自動的に選択することで、ネットワークインタフェース１８を介してＮＧＮ２１へＩＰファクス発呼を行う。つまり、ＮＧＮ２１へＦＡＸ番号を指定してＦＡＸ送信を行う（ステップ１０４）。
【００４９】
本実施の形態によれば、ＦＡＸ送信先として指定されたＩＰファクスは、ＦＡＸ送信先にＩＰアドレスが含まれている場合はイントラネット２３側に、ＦＡＸ送信先として外線形式のＦＡＸ番号が指定されている場合はＮＧＮ２１側に、ＦＡＸ送信先として指定されたＩＰファクスが存在するものとして、送信に用いるネットワークインタフェースを自動選択する。これにより、ＦＡＸ送信者は、ＦＡＸ送信先がＮＧＮ２１又はイントラネット２３に接続されているかを考慮することなく、換言すると、ＦＡＸ送信先がＮＧＮ２１又はイントラネット２３のどちらに接続されているかをＦＡＸ送信者が指定することなくＦＡＸ送信を行うことができる。
【００５０】
実施の形態２．
図４は、本実施の形態における複合機１０を含むシステムの全体構成図である。なお、複合機１０自体のハードウェア構成及びブロック構成は図２と同じでよい。本実施の形態では、イントラネット環境にゲートウェイ（ＧＷ）４１が含まれている。ゲートウェイ４１は、ＩＰファクスのプロトコルとアナログＦＡＸのプロトコルとを変換する機能を有している。
【００５１】
次に、本実施の形態におけるＦＡＸ送信処理について図５に示したフローチャートを用いて説明する。なお、実施の形態１と同じ処理には、同じステップ番号を付け、説明を適宜省略する。ファクス制御部３２は、複合機１０に事前に設定されている情報等から各ネットワークインタフェース１８，１９の接続先がそれぞれＮＧＮ２１、イントラネット２３に接続されており、また、イントラネット２３における通信経路がＰ２Ｐであり、かつゲートウェイ４１が存在することを事前に認識しているものとする。なお、ＦＡＸ送信対象の画像情報は、画像情報記憶部３４に格納されているものとする。
【００５２】
操作受付部３１がＦＡＸ送信者により指定されたＦＡＸ送信先を受け付けると（ステップ１０１）、ファクス制御部３２は、受け付けられたＦＡＸ送信先の記述形式を解析する。そして、ＦＡＸ送信先にＩＰアドレスが含まれている場合（ステップ１０２でＹ）、ファクス制御部３２は、ＦＡＸ送信先へ発呼する経路としてネットワークインタフェース１９を自動的に選択することで、ネットワークインタフェース１９を介してイントラネット２３へＩＰファクス発呼を行う。つまり、イントラネット２３へＩＰアドレスを指定してＦＡＸ送信を行う（ステップ１０３）。
【００５３】
一方、ＦＡＸ送信先にＩＰアドレスが含まれていない場合（ステップ１０２でＮ）、具体的には外線形式のＦＡＸ番号が指定されていたとする。ゲートウェイ４１はＰ２Ｐにも対応可能であるが、通常、ゲートウェイ４１への発呼は電話番号を指定するので、ＦＡＸ送信先として外線形式のＦＡＸ番号が指定されている場合、ＦＡＸ送信先がイントラネット２３側あるいはＮＧＮ２１側にいるのかは判断できない。また、ＦＡＸ送信先がＩＰファクスの場合、ＮＧＮ２１を介してＩＰファクスした方が格段に安い。
【００５４】
そこで、本実施の形態におけるファクス制御部３２は、ＦＡＸ送信先として外線形式のＦＡＸ番号が指定されている場合、ＦＡＸ送信先へ発呼する経路としてネットワークインタフェース１８を自動的に選択し、ＮＧＮ２１へＩＰファクス発呼を行う（ステップ１０４）。
【００５５】
ＮＧＮ２１へＩＰファクス発呼を行った後、ＦＡＸ送信先として指定されたＦＡＸがＩＰファクスの場合は（ステップ２０１でＹ）、その送信先のＩＰファクスは正常にＦＡＸ受信を行うことができるが、そうでない場合は、ＮＧＮ２１からＦＡＸ送信先として指定されたＦＡＸがＩＰファクスの能力を有していない旨が返答されてくる。具体的には、その旨を示す返答値として４８８拒否とＷａｒｎｉｎｇＣｏｄｅ３０４／３０５応答を受信した場合（ステップ２０１でＮ）、ファクス制御部３２は、ＦＡＸ送信先へ発呼する経路としてネットワークインタフェース１８を自動的に選択し直し、イントラネット２３へＩＰファクス発呼を行う。つまり、イントラネット２３へＦＡＸ番号を指定してＦＡＸ送信を行う（ステップ２０２）。
【００５６】
ＩＰファクス発呼を受け付けたゲートウェイ４１は、ＩＰファクスをアナログＦＡＸに変換してＧ３ファクス４３へアナログＦＡＸ送信する。
【００５７】
実施の形態３．
図６は、本実施の形態における複合機１０を含むシステムの全体構成図である。なお、複合機１０自体のハードウェア構成及びブロック構成は図２と同じでよい。本実施の形態では、イントラネット環境にＳＩＰサーバ４６が含まれている。ＳＩＰサーバ４６は、ＦＡＸ送信先として指定されたＦＡＸのＦＡＸ番号をＩＰアドレスに変換する機能を有するサーバであり、ＳＩＰを利用したＩＰ電話サービスの管理・制御を行うサーバである。
【００５８】
次に、本実施の形態におけるＦＡＸ送信処理について図７に示したフローチャートを用いて説明する。なお、実施の形態１と同じ処理には、同じステップ番号を付け、説明を適宜省略する。ファクス制御部３２は、複合機１０に事前に設定されている情報等から各ネットワークインタフェース１８，１９の接続先がそれぞれＮＧＮ２１、イントラネット２３に接続されており、また、イントラネット２３における通信経路がＳＩＰサーバ４６経由であることを事前に認識しているものとする。なお、ＦＡＸ送信対象の画像情報は、画像情報記憶部３４に格納されているものとする。
【００５９】
操作受付部３１がＦＡＸ送信者により指定されたＦＡＸ送信先を受け付けると（ステップ１０１）、ファクス制御部３２は、受け付けられたＦＡＸ送信先の記述形式を解析する。そして、ＦＡＸ送信先にＩＰアドレスが含まれている場合（ステップ１０２でＹ）、ファクス制御部３２は、ＦＡＸ送信先へ発呼する経路としてネットワークインタフェース１９を自動的に選択することで、ネットワークインタフェース１９を介してイントラネット２３へＩＰファクス発呼を行う。つまり、イントラネット２３へＩＰアドレスを指定してＦＡＸ送信を行う（ステップ１０３）。
【００６０】
一方、ＦＡＸ送信先にＩＰアドレスが含まれていない場合（ステップ１０２でＮ）、具体的には外線形式のＦＡＸ番号が指定されていた場合、その指定された記述内容からＦＡＸ送信先がイントラネット２３側あるいはＮＧＮ２１側のいずれに存在しているのかは判断できない。
【００６１】
そこで、本実施の形態におけるファクス制御部３２は、ＦＡＸ送信先として外線形式のＦＡＸ番号が指定されている場合、指定されたＦＡＸ送信先のイントラネット側の存在の有無をＳＩＰサーバ４６に問い合わせ、その問合せの結果に応じてＦＡＸ送信先へ発呼する経路を自動的に選択するようにした。
【００６２】
すなわち、ファクス制御部３２は、ｏｐｔｉｏｎｓという能力を問い合わせるコマンドを使ってＳＩＰサーバ４６へ問い合わせる（ステップ３０１）。ＳＩＰサーバ４６は、この問合せに応じてＦＡＸ送信先として指定されたＦＡＸがイントラネット２３に存在するかを調べる。存在する場合、その旨（２００ＯＫ）を複合機１０へ返す。
【００６３】
問合せに応じてＳＩＰサーバ４６から返答された内容により、ＦＡＸ送信先として指定されたＦＡＸがイントラネット２３側に存在することを認識すると（ステップ３０２でＹ）、ファクス制御部３２は、当該ファクシミリ送信先へ発呼する経路としてネットワークインタフェース１９を自動的に選択し、ネットワークインタフェース１９を介してイントラネット２３へＩＰファクス発呼を行う。つまり、イントラネット２３へＦＡＸ番号を指定してＦＡＸ送信を行う（ステップ３０３）。ＩＰファクス発呼を受け取ったＳＩＰサーバ４６は、必要によりＦＡＸ番号をＩＰアドレスに変換するなどしてＦＡＸを呼び出し、ＦＡＸ送信を実現する。
【００６４】
一方、ＦＡＸ送信先として指定されたＦＡＸがイントラネット２３側に存在しないことを認識すると（ステップ３０２でＮ）、ファクス制御部３２は、当該ファクシミリ送信先へ発呼する経路としてネットワークインタフェース１８を自動的に選択し、ネットワークインタフェース１８を介してＮＧＮ２１へＩＰファクス発呼を行う。つまり、ＮＧＮ２１へＦＡＸ番号を指定してＦＡＸ送信を行う（ステップ３０４）。
【００６５】
実施の形態４．
本実施の形態は、複合機１０自体のハードウェア構成及びブロック構成、更に複合機１０を含むシステムの全体構成は実施の形態１と同じでよい。本実施の形態では、ＦＡＸ送信先としてインターネットファクスが指定された場合について説明する。以下、本実施の形態におけるＦＡＸ送信処理について図８に示したフローチャートを用いて説明する。なお、実施の形態１と同じ処理には、同じステップ番号を付け、説明を適宜省略する。ファクス制御部３２は、複合機１０に事前に設定されている情報等から各ネットワークインタフェース１８，１９の接続先がそれぞれＮＧＮ２１、イントラネット２３に接続されていることを事前に認識しているものとする。なお、ＦＡＸ送信対象の画像情報は、画像情報記憶部３４に格納されているものとする。
【００６６】
操作受付部３１がＦＡＸ送信者により指定されたＦＡＸ送信先を受け付けると（ステップ１０１）、ファクス制御部３２は、受け付けられたＦＡＸ送信先の記述形式を解析する。そして、ＦＡＸ送信先にＩＰアドレスが含まれている場合（ステップ１０２でＹ）、ファクス制御部３２は、ＦＡＸ送信先へ発呼する経路としてネットワークインタフェース１９を自動的に選択することで、ネットワークインタフェース１９を介してイントラネット２３へインターネットファクス（ダイレクトＳＭＴＰ）を行う（ステップ４０１）。ダイレクトＳＭＴＰによるＦＡＸ送信により、メールサーバを経由せずにＦＡＸへ直接送信することが可能になる。
【００６７】
一方、ＦＡＸ送信先にＩＰアドレスが含まれていない場合（ステップ１０２でＮ）、具体的には、ａｂｃ＠ｅｆｇ．ｃｏｍなどのようにＦＡＸ送信先としてＩＰアドレスを含まないメールアドレスが指定された場合、ファクス制御部３２は、ＦＡＸ送信先へ発呼する経路としてネットワークインタフェース１８を自動的に選択することで、ネットワークインタフェース１８を介してＮＧＮ２１へインターネットファクス発呼を行う（ステップ４０２）。
【００６８】
以上のように、各実施の形態においては、ＦＡＸ送信者に指定させることなくＦＡＸ送信に用いるネットワークインタフェース１８，１９を自動的に選択して発呼を行うことを説明したが、上記各実施の形態を適宜組み合わせて複合機１０に適用してもよい。
【００６９】
また、本実施の形態では、ＦＡＸ装置として複合機１０を例にして説明したが、ＩＰファクス対応機であれば、異なる機器で実現してもよい。
【符号の説明】
【００７０】
１０ 複合機、１１  ＣＰＵ、１２  操作パネル、１３  スキャナ、１４  ハードディスクドライブ（ＨＤＤ）、１５  プリンタエンジン、１６  ＲＯＭ、１７  ＲＡＭ、１８，１９  ネットワークインタフェース（Ｉ／Ｆ）、２０  アドレスデータバス、２１  ＮＧＮ、２２，２４  ＦＡＸ、２３  イントラネット、３１  操作受付部、３２  ファクス制御部、３３  通信制御部、３４  画像情報記憶部、４１  ゲートウェイ（ＧＷ）、４２  ＩＰファクス（イントラネット）、４３  Ｇ３ファクス、４５  ＩＰファクス（ＮＧＮ）、４６  ＳＩＰサーバ。
【図１】
0006447263.tif 000002
【図２】
0006447263.tif 000003
【図３】
0006447263.tif 000004
【図４】
0006447263.tif 000005
【図５】
0006447263.tif 000006
【図６】
0006447263.tif 000007
【図７】
0006447263.tif 000008
【図８】
0006447263.tif 000009